(57)【特許請求の範囲】
【請求項１】
筐体と、
前記筐体内に防振支持され、内部に洗濯水を貯留する外槽と、
前記外槽内に回転自在に支持され、洗濯物が収容される内槽と、
前記内槽を回転駆動させる駆動装置と、
前記外槽内に給水する給水手段と、を備える縦型洗濯機において、
前記外槽の上部に外槽カバーを有し、
前記外槽カバーの下面には、前記内槽の周方向に延びる給水経路が設けられ、
前記給水経路には、前記給水手段から供給された水道水を前記内槽の上部に散水する複数の散水口が、前記周方向に間隔を置いて設けられ、
前記内槽が回転しているときに前記複数の散水口から前記内槽の上部に水道水を降りかけることで、この降りかけられた水道水がそのまま前記外槽の内周面に向けて吹き飛ばされるようにしたことを特徴とする縦型洗濯機。
【発明の詳細な説明】
【技術分野】
【０００１】
本発明は、槽を清浄化できる機能を備える縦型洗濯機に関する。
【背景技術】
【０００２】
洗濯機（洗濯乾燥機）では、内槽や外槽に汚れが付着するため、洗濯運転とは別に槽洗浄を目的としたコースを設定できるものがある。しかし、槽洗浄を目的としたコースでは、洗浄用の薬剤が必要になり、槽洗浄コースをユーザが選択する操作が必要になるなど洗浄作業が煩雑であった。
【０００３】
そこで、洗濯機（洗濯乾燥機）の槽洗浄を行う他の方法として、外槽の底部に気泡を噴射させる気泡噴射装置を設けて、外槽に水を溜めた状態で汚れに気泡を噴射させることで、汚れを除去する技術が提案されている（特許文献１参照）。
【先行技術文献】
【特許文献】
【０００４】
【特許文献１】特開２００８−４３６５１号公報
【発明の概要】
【発明が解決しようとする課題】
【０００５】
しかしながら、特許文献１に記載の技術では、槽の下方の一部しか汚れを落とすことができないという問題がある。また、槽の上方まで汚れを落とそうとすると、槽の上方まで水を溜める必要があり、節水することが難しくなる。
【０００６】
本発明は、前記従来の問題を解決するものであり、槽洗浄に優れた縦型洗濯機を提供することを課題とする。
【課題を解決するための手段】
【０００７】
本発明は、筐体と、前記筐体内に防振支持され、内部に洗濯水を貯留する外槽と、前記外槽内に回転自在に支持され、洗濯物が収容される内槽と、前記内槽を回転駆動させる駆動装置と、前記外槽内に給水する給水手段と、を備える縦型洗濯機において、前記外槽の上部に外槽カバーを有し、前記外槽カバーの下面には、前記内槽の周方向に延びる給水経路が設けられ、前記給水経路には、前記給水手段から供給された水道水を前記内槽の上部に散水する複数の散水口が、前記周方向に間隔を置いて設けられ、前記内槽が回転しているときに前記複数の散水口から前記内槽の上部に水道水を降りかけることで、この降りかけられた水道水がそのまま前記外槽の内周面に向けて吹き飛ばされるようにしたことを特徴とする縦型洗濯機である。
【発明の効果】
【０００８】
本発明によれば、内槽の周方向に延びる給水経路に散水口を設けて、この散水口から水道水を散水することで、外槽の内周面に汚れやゴミが付着するのを抑制でき、槽洗浄に優れた縦型洗濯機を提供できる。
【図面の簡単な説明】
【０００９】
【図１】第１実施形態に係る洗濯機（洗濯乾燥機）の外観斜視図である。
【図２】第１実施形態に係る洗濯機（洗濯乾燥機）の筐体の内部を示す概略図である。
【図３】第１実施形態に係る洗濯機（洗濯乾燥機）の筐体内部を示す分解斜視図である。
【図４】第１実施形態に係る洗濯機（洗濯乾燥機）の給水ユニットを示す拡大斜視図である。
【図５】第１実施形態に係る洗濯機（洗濯乾燥機）の外槽カバーを示す分解斜視図である。
【図６】第１実施形態に係る洗濯機（洗濯乾燥機）の給水経路を構成する水路部材を示し、（ａ）は底面側から見た斜視図、（ｂ）はＡ部拡大斜視図である。
【図７】第１実施形態に係る洗濯機（洗濯乾燥機）の水路部材を示す拡大断面図である。
【図８】第１実施形態に係る洗濯機（洗濯乾燥機）の水路部材の組付け位置を示す拡大断面図である。
【図９】第１実施形態に係る洗濯機（洗濯乾燥機）の制御装置の機能構成を示す図である。
【図１０】第１実施形態に係る洗濯機（洗濯乾燥機）の給水ユニットから洗濯機（洗濯乾燥機）までの経路を示す概略図である。
【図１１】第１実施形態に係る洗濯機（洗濯乾燥機）の運転工程を説明する工程図である。
【図１２】第１実施形態に係る洗濯機（洗濯乾燥機）の槽洗浄時の水の流れを示す模式図である。
【図１３】第２実施形態に係る洗濯機（洗濯乾燥機）を示す概略図である。
【図１４】第２実施形態に係る洗濯機（洗濯乾燥機）の水路部材を示す概略図である。
【図１５】第２実施形態に係る洗濯機（洗濯乾燥機）の水路部材の変形例を示す概略図である。
【図１６】第３実施形態に係る洗濯機（洗濯乾燥機）の外観斜視図である。
【図１７】第３実施形態に係る洗濯機（洗濯乾燥機）の内部構成を示す概略図である。
【図１８】第３実施形態に係る洗濯機（洗濯乾燥機）の手前側に設けられる水路部材の配置を示す平面図である。
【図１９】外槽カバーに設けられる水路部材を示し、（ａ）は正面図、（ｂ）は側面図、（ｃ）は上面図、（ｄ）は下面図である。
【図２０】第３実施形態に係る洗濯機（洗濯乾燥機）の前側に設けられる水路部材の配置を示す平面図である。
【図２１】第３実施形態に係る洗濯機（洗濯乾燥機）の後側の水路部材を示し、（ａ）は正面図、（ｂ）は背面図である。
【図２２】第３実施形態に係る洗濯機（洗濯乾燥機）の前側の水路部材による水の流れを示す拡大断面図である。
【図２３】第３実施形態に係る洗濯機（洗濯乾燥機）の後側の水路部材による水の流れを示す拡大断面図である。
【図２４】第３実施形態に係る洗濯機（洗濯乾燥機）の槽洗浄時の全体の水の流れを示す模式図である。
【図２５】第１実施形態に係る洗濯機（洗濯乾燥機）の洗濯兼脱水槽の変形例を示す右側概略図である。
【発明を実施するための形態】
【００１０】
以下、本発明を実施するための形態（以下「実施形態」という）について、適宜図面を参照しながら詳細に説明する。なお、以下では、洗濯機として、洗濯から乾燥までの工程を行うことができる洗濯乾燥機を例に挙げて説明する。また、以下では、第３実施形態を、参考形態として説明する。
【００１１】
≪第１実施形態≫
図１に示すように、洗濯乾燥機１Ａは、洗濯兼脱水槽８（内槽、図２参照）の回転軸が略鉛直方向の縦型式洗濯機（縦型式洗濯乾燥機）である。この洗濯乾燥機１Ａの筐体２の上部には上面カバー２ａが設けられており、上面カバー２ａには外蓋３が設けられている。外蓋３は、山型に折れ曲がりながら後ろ側に開くことにより、開口部２ｂ（図２参照）を開口し、洗濯兼脱水槽８（図２参照）に衣類等（洗濯物）が出し入れ可能になっている。
【００１２】
上面カバー２ａの奥側（後側）には、水道栓からの給水ホース接続口４および風呂の残り湯の吸水ホース接続口５が設けられている。上面カバー２ａの手前側には、電源スイッチ６が設けられ、外蓋３の手前側には、操作スイッチ７ａおよび表示器７ｂからなる操作パネル７が設けられている。
【００１３】
図２に示すように、洗濯乾燥機１Ａは、筐体２内に、洗濯兼脱水槽８、外槽９、駆動装置１０、洗剤・仕上剤の投入装置１１、給水ユニット１２Ａ、乾燥ダクト２０などを備えている。
【００１４】
洗濯兼脱水槽８は、有底円筒形状を呈し、ステンレス鋼板などで形成された胴板８ａを有している。胴板８ａには、通水および通風のための多数の貫通孔（図２参照、一部のみ図示）８ａ１が形成されている。洗濯兼脱水槽８は、内側底面に回転翼８ｂを備える。
【００１５】
外槽９は、有底円筒形状を呈し、洗濯兼脱水槽８を同軸上に内包し、その上部に外槽カバー９ａを備えて構成されている。洗濯乾燥機１Ａの使用者は、外蓋３および外槽カバー９ａの蓋部材９ｃを開くことにより、開口部２ｂから洗濯兼脱水槽８内に洗濯物の出し入れを行うことができる。
【００１６】
駆動装置１０は、外槽９の底面の外側中央に配置されている。この駆動装置１０は、モータ１０ａとクラッチ機構１０ｂとを有し、駆動装置１０の回転軸１０ｃが外槽９を貫通し、洗濯兼脱水槽８および回転翼８ｂと結合するように構成されている。クラッチ機構１０ｂは、モータ１０ａの回転動力を洗濯兼脱水槽８および／または回転翼８ｂに伝達する機能を有する。モータ１０ａは、その回転を検出するホール素子あるいはフォトインタラプタなどで構成される回転検出装置２８と、モータ１０ａに流れる電流を検出するモータ電流検出装置２９を備える。
【００１７】
投入装置１１は、上面カバー２ａの手前側に備えられる。洗剤や仕上剤の投入は、投入ホース１１ａにより、外槽９と洗濯兼脱水槽８の間に行われる。
【００１８】
給水ユニット１２Ａは、上面カバー２ａの奥側に設けられる。この給水ユニット１２Ａは、給水ホース接続口４からの水道水を投入装置１１、後記する水冷除湿機構（図示せず）へ給水する。また、給水ユニット１２Ａは、給水ホース接続口４からの水道水や吸水ホース接続口５（図１参照）からの風呂水を、注水ホース１１ｂを介して、外槽９と洗濯兼脱水槽８の間から外槽９内に注水することができる。また、給水ユニット１２Ａは、給水ホース接続口４からの水道水を洗浄ホース１１ｃを介して、洗濯兼脱水槽８の上部に注水することができる。なお、給水ユニット１２Ａの詳細な説明は、図４を用いて後記する。
【００１９】
外槽９の底面に設けられた落込部９ｍは、下部連通管１３と連通している。下部連通管１３は、排水弁１４を介して、洗濯水排水路１５と連通するように接続されている。排水弁１４を閉弁することにより、外槽９内に洗い水やすすぎ水を貯水可能となる。また、排水弁１４を開弁することにより、外槽９内の水を、洗濯水排水路１５を介して、洗濯乾燥機１Ａの機外へ排水することができる。
【００２０】
また、下部連通管１３は、筐体２の下部に設置された異物除去装置１６および循環ポンプ１７を介して洗濯水循環水路１８（一部省略）と連通するように接続されている。また、洗濯水循環水路１８は、洗濯兼脱水槽８より上側に設けられた糸くず除去装置（図示せず）と連通するように接続されている。
【００２１】
循環ポンプ１７を駆動すると、外槽９内の水が、落込部９ｍおよび下部連通管１３を介して異物除去装置１６に流入し異物が除去され、循環ポンプ１７の吸込口に流入する。循環ポンプ１７から送られた水は、洗濯水循環水路１８を介して糸くず除去装置に流入し糸くずが除去され、糸くずが除去された水（循環水）は洗濯兼脱水槽８内に上部から散布するように注水される。
【００２２】
乾燥ダクト２０は、筐体２の背面内側に縦方向に設置され、ダクト下部は外槽９の落込部９ｍとゴム製の蛇腹管２０ａによって接続されている。乾燥ダクト２０内には、水冷除湿機構（図示せず）を内蔵しており、給水ユニット１２Ａから水冷除湿機構へ冷却水を供給する。冷却水は乾燥ダクト２０の壁面（ステンレス製などの金属プレート）を伝わって流下して落込部９ｍに入り、下部連通管１３、洗濯水排水路１５を通り機外へ排出される。
【００２３】
乾燥ダクト２０の出口はファン２１の吸気口と接続され、ファン２１の出口はヒータ２２と接続されている。ヒータ２２の出口は、送風ダクト２３およびゴム製の蛇腹管２３ａを介して、吹出ノズル２４と接続されている。
【００２４】
このように、乾燥工程においては、外槽９内の空気を乾燥ダクト２０で水冷除湿してファン２１の吸込口から吸込し、ファン２１から吐出された空気をヒータ２２で加熱して、高温低湿の風を吹出ノズル２４から洗濯兼脱水槽８内に向けて吹き出すことができる。
【００２５】
なお、図示していないが、送風ダクト２３には、乾燥運転中に洗濯兼脱水槽８内に向けて吹き出される風の温度を検出する温度センサ、外槽９の落込部９ｍには、洗濯水の温度や、乾燥運転中に乾燥ダクト２０に吸い込まれる空気の温度を検出する温度センサ、下部連通管１３と排水弁１４の間には、洗濯水の温度や、乾燥運転中に洗濯水排水路１５から機外に排出される空気の温度を検出する温度センサ、外槽９の側面上部には、外槽９の振動による振動加速度を検知する加速度センサが設けられている。また、外槽９に溜められた洗濯水の水位を検出する水位センサ（図示せず）を備えている。
【００２６】
図３に示すように、洗濯兼脱水槽８は、胴板８ａの上端縁部に合成樹脂などで形成されたバランスリング（流体バランサともいう）８ｃを備えている。このバランスリング８ｃは、その内部に比重の大きな流体を封入して構成され、洗濯兼脱水層８の回転時に洗濯物の偏り等によって偏心が生じたときに、バランスリング８ｃ内での流体の移動によって偏心をキャンセルし、回転のバランスを維持する働きを有する。
【００２７】
外槽カバー９ａは、略半円形状の投入口９ｂを有し、外槽９の上端縁部に取り付けられる。なお、投入口９ｂには、開閉可能に取り付けられた蓋部材９ｃ（図２参照）が設けられている。また、外槽カバー９ａの奥側（後側）には、洗濯水循環水路１８（図２参照）の端部が接続される接続口９ｄ、蛇腹管２３ａ（図２参照）が接続される接続口９ｅ、後記する槽洗浄用の洗浄ホース１１ｃが接続される接続口９ｆが設けられている。なお、図２と重複する部分については、同じ符号を付して説明を省略する。
【００２８】
図４に示すように、給水ユニット１２Ａは、洗剤給水電磁弁１２ａと、仕上剤／槽洗浄給水電磁弁１２ｂと、冷却水給水電磁弁１２ｃと、外槽給水電磁弁１２ｄと、切替電磁弁１２ｅと、風呂水ポンプ１２ｆと、給水経路ユニット３０と、を備えている。
【００２９】
洗剤給水電磁弁１２ａは、給水ホース接続口４からの水道水を、入水口（図示せず）から給水経路ユニット３０内を通り、出水口３２に接続されるホース１２ｉ（図２参照）を介して、投入装置１１（図２参照）の洗剤投入室（図示せず）に給水する。洗剤投入室に注水された水道水は、投入された洗剤とともに、投入ホース１１ａ（図２参照）を介して、外槽９内に注水される。
【００３０】
仕上剤／槽洗浄給水電磁弁１２ｂは、給水ホース接続口４からの水道水を、入水口３３から給水経路ユニット３０内を通り、出水口３４に接続される洗浄ホース１１ｃを介して後記する水路部材５０に給水する。
【００３１】
また、仕上剤／槽洗浄給水電磁弁１２ｂは、切替電磁弁１２ｅの開弁時に、給水ホース接続口４からの水道水を、入水口３３から給水経路ユニット３０内を通り、出水口３５に接続されるホース１２ｊを介して、投入装置１１（図２参照）の仕上剤投入室（図示せず）に給水する。仕上剤投入室に注水された水道水は、投入された仕上剤とともに、投入ホース１１ａ（図２参照）を介して、外槽９内に注水される。
【００３２】
冷却水給水電磁弁１２ｃは、給水ホース接続口４からの水道水を、図示しないホースを介して、乾燥ダクト２０（図２参照）の水冷除湿機構（図示せず）に給水する。
【００３３】
外槽給水電磁弁１２ｄは、給水ホース接続口４からの水道水を、流路１２ｈに接続される注水ホース１１ｂ（図２参照）から外槽９内に給水する。
【００３４】
切替電磁弁１２ｅは、仕上剤用として給水するかを切り替えるものである。
【００３５】
なお、風呂水ポンプ１２ｆで汲み上げられた吸水ホース接続口５からの風呂水は、流路１２ｈに合流して接続される注水ホース１１ｂ（図２参照）から外槽９内に給水する。
【００３６】
図５に示すように、外槽カバー９ａには、水路部材５０が複数のねじ６０を介して外槽カバー９ａの下面に固定される。この水路部材５０は、合成樹脂などで略円形に形成され、凹面が外槽カバー９ａ側を向くようにして形成された凹条の水路５０ｓを有している。また、水路部材５０は、外槽カバー９ａの周縁部に沿って周回する（ひとまわりする）よう配設される。
【００３７】
また、水路部材５０は、ねじ固定のための複数の取付部５１，５２を備えている。この取付部５１は、内方（径方向内側）に突出して形成された山型の片部５１ａを有し、この片部５１ａに鉛直方向に貫通するねじ挿通孔５１ｂが形成されて構成されている。取付部５２は、外方に形成された片部５２ａを有し、この片部５２ａに鉛直方向に貫通するねじ挿通孔５２ｂが形成されて構成されている。本実施形態では、それぞれ６個の取付部５１および取付部５２が周方向に間隔を置いて、かつ、取付部５１と取付部５２が交互に配置されるように構成されている。
【００３８】
また、水路部材５０は、取付部５２が形成される位置では、水路５０ｓが内方に突出して蛇行するように形成されている。したがって、水路部材５０の外周縁部は、ほぼ円となるように形成されている。このように、水路部材５０の外側に突出する部分を無くすことで、水路部材５０を外槽カバー９ａの外周縁部により近い側に配置することができ、洗濯兼脱水槽８と外槽９との隙間に対向する位置に水路部材５０を好適に配置することができる。
【００３９】
図６（ａ）に示すように、水路部材５０の内側面５０ｂには、２４個の側面側散水口５０ｂ１が周方向に間隔を置いて形成されている（一部のみ図示）。図６（ｂ）に示すように、水路部材５０の底面５０ａには、４個の底面側散水口５０ａ１が周方向に間隔を置いて形成されている。
【００４０】
図７に示すように、底面側散水口５０ａ１は、内側を向くように底面５０ａに鉛直方向に対して傾斜するように貫通している。底面側散水口５０ａ１および側面側散水口５０ｂ１は、それぞれ本実施形態の個数に限定されるものではなく、洗濯乾燥機１Ａの種類や内部の構造に応じて適宜増減することができる。
【００４１】
図８に示すように、外槽カバー９ａの外周縁部の下面には、水路部材５０が収容され、下側が開放されている凹部９ａ１が周方向に沿って形成されている。また、凹部９ａ１の底面９ａ２には、２本の溝９ａ３，９ａ４が、水路部材５０の内側面５０ｂ、外側面５０ｃに対応する位置に形成されている。この溝９ａ３，９ａ４にシール部材（図示せず）を注入して、溝９ａ３，９ａ４に内側面５０ｂ、外側面５０ｃを付き合わせた状態において、取付部５１，５２を外槽カバー９ａにねじ固定することによって水路部材５０が外槽カバー９ａに対して水密に固定される。また、このとき、水路部材５０の側面側散水口５０ｂ１は、凹部９ａ１の側壁部９ａ５と対向している。
【００４２】
このようにして水路部材５０を外槽カバー９ａに取り付けることで、本実施形態では、水路部材５０が、洗濯兼脱水槽８（バランスリング８ｃ）と外槽９との間の隙間Ｔに対応する位置に配置される。なお、本実施形態では、水路部材５０の底面５０ａ、内側面５０ｂおよび外側面５０ｃと、この水路部材５０の凹面が対向する外槽カバー９ａの底面９ａ２とで囲まれる空間が給水経路に相当する。
【００４３】
なお、水路部材５０は、水路５０ｓがひと続きで形成されるものに限定されず、円弧状に形成された水路部材を複数組み合わせて、円形状に形成したものでもよい。その場合には、組み合わせた個数分の接続口９ｆを外槽カバー９ａに設ける必要がある。
【００４４】
図９に示すように、洗濯乾燥機１Ａは、制御装置１００を備える。制御装置１００は、マイコン１１０を中心に構成される。マイコン１１０は、運転パターンデータベース１１１、工程制御部１１２、回転速度算出部１１３、衣類重量算出部１１４などを備える。
【００４５】
マイコン１１０は、操作スイッチ７ａから入力された運転コースにあった運転パターンを呼び出し、洗濯または／および乾燥を開始する機能を有する。
【００４６】
工程制御部１１２は、運転パターンデータベース１１１から呼び出された運転パターンに基づき、洗い工程、すすぎ工程、脱水工程、槽洗浄工程、乾燥工程の各工程を運転制御する機能を有する。各工程において、工程制御部１１２は、それぞれ駆動回路を介して、給水ユニット１２Ａ（給水電磁弁１２ａ〜１２ｄ、切替電磁弁１２ｅ）、排水弁１４、モータ１０ａ、クラッチ機構１０ｂ、ヒータ２２、ファン２１、循環ポンプ１７を駆動制御する機能を有する。
【００４７】
回転速度算出部１１３は、モータ１０ａの回転を検出する回転検出装置２８からの検出値に基づき、モータ１０ａの回転速度を算出する機能を有する。
【００４８】
衣類重量算出部１１４は、回転速度算出部１１３で算出された回転速度と、モータ電流検出装置２９の検出値に基づいて、洗濯兼脱水槽８内の衣類の重量を算出する機能を有する。衣類の重量が増加することにより洗濯兼脱水槽８を回転させるための負荷が大きくなり、モータ１０ａに流れるモータ電流が多く必要になることから、モータ１０ａのモータ電流と回転速度により衣類の重量を算出することができる。
【００４９】
次に、第１実施形態に係る洗濯乾燥機１Ａの動作について図１０ないし図１２を参照して説明する。図１０は第１実施形態に係る洗濯機（洗濯乾燥機）の給水ユニットから洗濯機（洗濯乾燥機）までの経路を示す概略図、図１１は第１実施形態に係る洗濯機（洗濯乾燥機）の運転工程を説明する工程図、図１２は第１実施形態に係る洗濯機（洗濯乾燥機）の槽洗浄時の水の流れを示す模式図である。なお、図１１に示す洗濯運転は、洗い→すすぎ→槽洗浄→脱水→槽洗浄→（乾燥）の運転工程を説明する工程図である。
【００５０】
図１０に示すように、洗濯乾燥機１Ａでは、外槽給水電磁弁１２ｄ（メイン）が開弁されると、水道水が注水ホース１１ｂを介して外槽９内に注水される。洗剤給水電磁弁１２ａが開弁されると、水道水がホース１２ｉ、投入装置１１、投入ホース１１ａを介して外槽９内に供給される。仕上剤／槽洗浄給水電磁弁１２ｂおよび切替電磁弁１２ｅが開弁されると、水道水がホース１２ｊ、投入装置１１、投入ホース１１ａを介して外槽９内に供給される。また、仕上剤／槽洗浄給水電磁弁１２ｂが開弁されると、水道水が洗浄ホース１１ｃを介して水路部材５０に給水される。冷却水給水電磁弁１２ｃが開弁されると、水道水が図示しないホースを介して乾燥ダクト２０内の水冷除湿機構（図示せず）に供給される。
【００５１】
図１１に示すように、布量センシング工程Ｓ１では、工程制御部１１２が洗濯兼脱水槽８を回転させ、衣類重量算出部１１４が注水前の衣類について布量を算出する。
【００５２】
給水工程Ｓ２では、工程制御部１１２が外槽給水電磁弁１２ｄを開弁し、水道水を注水ホース１１ｂを介して外槽９と洗濯兼脱水槽８の間から外槽９内に注水する。また、工程制御部１１２は、外槽給水電磁弁１２ｄが開弁されてから所定時間経過後に閉弁する。
【００５３】
洗剤とかし工程Ｓ３では、工程制御部１１２が洗剤給水電磁弁１２ａを開弁し、水道水を投入装置１１の洗剤投入室（図示せず）に給水する。洗剤投入室に注水された水道水は、投入された洗剤とともに、外槽９内に注水される。また、工程制御部１１２は、洗剤給水電磁弁１２ａが開弁されてから所定時間経過後に洗剤給水電磁弁１２ａを閉弁する。
【００５４】
回転給水工程Ｓ４では、工程制御部１１２が外槽給水電磁弁１２ｄを開弁して外槽に給水し、洗濯兼脱水槽８および／または回転翼８ｂを回転させながら、循環ポンプ１７を駆動して、高濃度の洗剤溶液を糸くず除去装置１９から洗濯兼脱水槽８内の衣類に散布する。
【００５５】
前洗い工程Ｓ５では、高濃度の洗剤溶液で衣類を洗う。
【００５６】
布質センシング工程Ｓ６では、まず、衣類重量算出部１１４が、水を含んだ状態の衣類の重量を算出する。そして、布量センシング工程Ｓ１で算出した衣類の重量と布質センシング工程Ｓ６で算出した水を含んだ状態の衣類の重量から、衣類の布質（吸水性）を判断する。判断された衣類の布質に従って以下の工程が制御される。
【００５７】
給水工程Ｓ７では、工程制御部１１２が、布量センシング工程Ｓ１で算出した衣類の重量と、布質センシング工程Ｓ６で判断した衣類の布質に合わせて外槽９の内部に給水する。
【００５８】
本洗い工程Ｓ８では、工程制御部１１２が、回転翼８ｂを回転して、衣類を洗う。なお、図示していないが、本洗い工程Ｓ８では、回転翼８ｂを正方向逆方向に交互に回転させ衣類をほぐす運転も行う。また、工程制御部１１２は、この本洗い工程とほぐし工程を数回繰り返す。本洗いが終了すると、衣類のアンバランス状態を監視し、脱水に移行するか否かを判断する。
【００５９】
排水工程Ｓ９では、工程制御部１１２が、排水弁１４を開弁し、外槽９内の洗い水を排水する。
【００６０】
脱水工程Ｓ１０では、排水終了後、工程制御部１１２が、洗濯兼脱水槽８を回転させて衣類に含まれる水（洗い水）を脱水する。
【００６１】
回転シャワー工程Ｓ１１では、工程制御部１１２が、排水弁１４を閉弁、外槽給水電磁弁１２ｄを開弁して、外槽９にすすぎ水を供給する。そして、洗濯兼脱水槽８を回転させつつ、循環ポンプ１７を駆動して、すすぎ水を糸くず除去装置１９から洗濯兼脱水槽８内の衣類に散布する。
【００６２】
脱水工程Ｓ１２では、工程制御部１１２が、洗濯兼脱水槽８を回転させつつ、循環ポンプ１７を停止させて、衣類からすすぎ水を脱水する。
【００６３】
回転シャワー工程Ｓ１３では、工程制御部１１２が、洗濯兼脱水槽８を回転させつつ、再び循環ポンプ１７を駆動して、すすぎ水を糸くず除去装置１９から洗濯兼脱水槽８内の衣類に散布する。
【００６４】
排水工程Ｓ１４では、工程制御部１１２が、洗濯兼脱水槽８および循環ポンプ１７を停止させて、排水弁１４を開弁し、外槽９内のすすぎ水を排水する。
【００６５】
脱水工程Ｓ１５では、排水終了後、工程制御部１１２が、洗濯兼脱水槽８を回転させて衣類に含まれる水（すすぎ水）を脱水する。
【００６６】
給水工程Ｓ１６では、工程制御部１１２が、排水弁１４を閉弁、仕上剤／槽洗浄給水電磁弁１２ｂおよび切替電磁弁１２ｅをそれぞれ所定時間開弁して、外槽９に仕上剤を含むすすぎ水を供給する。また、給水工程Ｓ１６では、工程制御部１１２が、外槽給水電磁弁１２ｄを開弁して、外槽９にすすぎ水を供給する。
【００６７】
ほぐし工程Ｓ１７では、工程制御部１１２が、回転翼８ｂを正方向逆方向に交互に回転させ衣類をほぐす運転を行う。
【００６８】
かくはん工程Ｓ１８では、工程制御部１１２が、外槽９にすすぎ水を溜めた状態で洗濯兼脱水槽８を回転させて衣類を攪拌しつつすすぐ。
【００６９】
槽洗浄シャワー工程Ｓ１９では、工程制御部１１２が、仕上剤／槽洗浄給水電磁弁１２ｂを開弁して、水路部材５０に洗浄水（水道水）を供給する。このとき、工程制御部１１２は、洗濯兼脱水槽８を、前記回転給水工程Ｓ４、回転シャワー工程Ｓ１１，Ｓ１３での回転速度（３５ｒｐｍ）よりも脱水工程時の回転速度よりも低い回転速度（８０〜１３０ｒｐｍ）で所定時間（例えば、９０秒）回転させる。なお、洗濯兼脱水槽８を回転させるパターンとしては、常に正方向に回転させる手段に限定されず、逆方向も取り入れて回転させるようにしてもよく、適宜変更することができる。
【００７０】
これにより、図１２に示すように、水路部材５０の側面側散水口５０ｂ１から水道水が吐出されると、実線矢印で示すように、外槽カバー９ａに形成された凹部９ａ１（図８参照）の底面９ａ２に当たり、そして洗濯兼脱水槽８のバランスリング８ｃの外周縁部上面８ｃ１に降りかかる。このとき、洗濯兼脱水槽８は高速で回転しているで、バランスリング８ｃの外周縁部上面８ｃ１に降りかかった水道水は、洗濯兼脱水槽８の回転時の遠心力によって外槽９の内周面９ｓに向けて吹き飛ばされる。外槽９の内周面９ｓまで飛ばされた水道水は、重力の作用により外槽９の内周面９ｓを鉛直方向下方に向けて流れ落ちる。また、水路部材５０に側面側散水口５０ｂ１が複数形成されるとともに遠心力によって吹き飛ばされるので、外槽９の上部において、その内周面９ｓの全体に水道水が吹き付けられ、その後下方に流れ落ちる。したがって、外槽９の内周面の上部から下部までの全体に水道水が流れることになる。よって、外槽９の内周面の全体の汚れやゴミが取り除かれ、また汚れやゴミの付着を抑制することができる。
【００７１】
また、図１２に示すように、水路部材５０の底面側散水口５０ａ１から水道水が散水されると、洗濯兼脱水槽８の上部（バランスリング８ｃ）の外周面８ｓに吹き付けられる。外周面８ｓに吹き付けられた水道水は、重力の作用により洗濯兼脱水槽８の外周面８ｓを鉛直方向下方に向けて流れ落ちる。なお、側面側散水口５０ｂ１から外周縁部上面８ｃ１に滴下した水道水の一部も、図１２において細い破線で示すように、重力の作用により、洗濯兼脱水槽８の外周面８ｓを下方へと流れ落ちる。
【００７２】
このようにして、水路部材５０の側面側散水口５０ｂ１と底面側散水口５０ａ１から水道水を洗濯兼脱水槽８の上部（外周縁部）に散水することにより、外槽９の内周面９ｓおよび洗濯兼脱水槽８の外周面８ｓに対する汚れやごみの付着を抑制することができる。
【００７３】
また、この槽洗浄シャワー工程Ｓ１９では、給水工程Ｓ１６にて給水された水道水が外槽９の底に溜められた状態で洗濯兼脱水槽８を高速で回転させるので、洗濯兼脱水槽８の外側の底面に付着した汚れやゴミを除去することができ、また汚れやゴミが付着するのを抑制することができる。
【００７４】
図１１に戻って、槽洗浄シャワー工程Ｓ１９が終了すると、工程制御部１１２は、衣類のアンバランス状態を監視し、最終脱水に移行するか否かを判断する。
【００７５】
排水工程Ｓ２０では、工程制御部１１２が、排水弁１４を開弁し、外槽９内のすすぎ水を排水する。
【００７６】
脱水工程Ｓ２１では、排水終了後、工程制御部１１２が、洗濯兼脱水槽８を高速で回転させて衣類に含まれる水分を取り除く。
【００７７】
なお、洗濯から乾燥までの一連の運転を行うモードが設定されている場合には、脱水工程Ｓ２１後に乾燥工程Ｓ２２を行う。乾燥工程Ｓ２２では、工程制御部１１２が、冷却水給水電磁弁１２ｃを開弁して、ヒータ２２を通電し、ファン２１を駆動させる。乾燥工程（Ｓ２２）終了後、ユーザが外蓋３および蓋部材９ｃを開いて衣類を取り出し、蓋部材９ｃおよび外蓋３を閉め、所定のボタン（例えばスタートボタン）を押すことで、以下の槽洗浄シャワー工程Ｓ２３が開始される。
【００７８】
槽洗浄シャワー工程Ｓ２３では、前記槽洗浄シャワー工程Ｓ１９と同様にして、洗濯兼脱水槽８の外周面８ｓや外槽９の内周面９ｓに水路部材５０から水道水を散水する。
【００７９】
なお、槽洗浄シャワー工程Ｓ１９，Ｓ２３は、洗濯乾燥機１Ａに設けられたスイッチによってＯＮ／ＯＦＦを設定できるようになっている。
【００８０】
以上説明したように、第１実施形態に係る洗濯乾燥機１Ａでは、外槽カバー９ａに、洗濯兼脱水槽８の周方向に延びる給水経路（水路部材５０）が設けられ、この給水経路に給水ユニット１２Ａ（給水手段）から供給された水道水を洗濯兼脱水槽８の上部（外周縁部上面８ｃ１）に散水する側面側散水口５０ｂ１が設けられている。これによれば、洗濯兼脱水槽８の回転時に水路部材５０に給水することで、外槽９の内周面９ｓに水道水を吹き飛ばすことで、外槽９の内周面９ｓに付着した汚れやゴミを取り除くことができ、また汚れやゴミの付着を抑制することができる。このようにして汚れやゴミの付着を抑制できることで、カビの繁殖や異臭の発生を抑制することが可能になる。さらに、洗濯中の洗濯物へのゴミの付着も防止または抑制することができる。
【００８１】
また、第１実施形態では、洗濯兼脱水槽８の外周面８ｓ（バランスリング８ｃの外周面）に散水する底面側散水口５０ａ１が設けられているので、洗濯兼脱水槽８の外周面８ｓに付着した汚れやゴミを取り除くことができ、また汚れやゴミの付着を抑制することができる。このようにして汚れやゴミの付着を抑制できることで、カビの繁殖、異臭発生を抑制でき、また洗濯中の洗濯物へのゴミの付着を防止、抑制できる。
【００８２】
また、工程制御部１１２が槽洗浄シャワー工程Ｓ１９，Ｓ２３を実行するタイミングを制御することで、使用水量を抑えることができる。つまり、すすぎ工程と脱水工程の間に行うことにより、きれいな状態の水道水で洗浄化できるので、槽洗浄を効率的に行うことができる。
【００８３】
また、水道水を遠心力によって吹き飛ばして外槽９の内周面を清浄化することで、水道水を勢いよく吹き付けて洗浄する場合よりも使用水量を減らすことができる。
【００８４】
≪第２実施形態≫
図１３は第２実施形態に係る洗濯機（洗濯乾燥機）を示す概略図、図１４は第２実施形態に係る洗濯機（洗濯乾燥機）の水路部材を示す概略図、図１５は第２実施形態に係る洗濯機（洗濯乾燥機）の水路部材の変形例を示す概略図である。
【００８５】
図１３に示すように、洗濯乾燥機（洗濯機）１Ｂは、第１実施形態と同様に、縦型式洗濯乾燥機であり、第１実施形態に係る給水ユニット１２Ａに替えて給水ユニット１２Ｂを備えたものである。給水ユニット１２Ｂは、メイン（外槽給水）用としての外槽給水電磁弁１２ｍ、仕上剤給水電磁弁１２ｎ、冷却水給水電磁弁１２ｏ、槽洗浄給水電磁弁１２ｐを備えている。
【００８６】
外槽給水電磁弁１２ｍは、制御装置１００（工程制御部１１２）によって開弁されることにより、給水ホース接続口４からの水道水を、投入装置１１の洗剤投入室（図示せず）を通って外槽９内に給水するように構成されている。
【００８７】
仕上剤給水電磁弁１２ｎは、制御装置１００（工程制御部１１２）によって開弁されることにより、給水ホース接続口４からの水道水を、投入装置１１の仕上剤投入室（図示せず）を通って外槽９内に給水するように構成されている。
【００８８】
冷却水給水電磁弁１２ｏは、制御装置１００（工程制御部１１２）によって開弁されることにより、給水ホース接続口４からの水道水を、図示しないホースを介して、乾燥ダクト２０（図２参照）の水冷除湿機構（図示せず）に給水するように構成されている。
【００８９】
槽洗浄給水電磁弁１２ｐは、制御装置１００（工程制御部１１２）によって開弁されることにより、給水ホース接続口４からの水道水を、水路部材５０（給水経路）に水道水を供給するように構成されている。
【００９０】
なお、給水ユニット１２Ｂは、給水ホース接続口４と接続され、各給水電磁弁１２ｍ，１２ｎ，１２ｏ，１２ｐの開閉によって、水道水が適切な位置を流れるように給水経路ユニットが構成されている。
【００９１】
第２実施形態における給水経路は、第１実施形態と同様に、水路部材５０と外槽カバー９ａによって構成され、例えば、水路部材５０の底面５０ａに底面側散水口５０ａ１が周方向に沿って間隔を置いて形成されたものである。
【００９２】
図１４に示すように、水路部材５０は、底面側散水口５０ａ１と、洗濯兼脱水槽８の外周縁部上面８ｃ１とが対向するように配置されている。これにより、底面側散水口５０ａ１から散水された水道水は、実線矢印で示すように、洗濯兼脱水槽８の上部（バランスリング８ｃの外周縁部上面８ｃ１）に直接的に散水される。このとき、洗濯兼脱水槽８が回転することで、洗濯兼脱水槽８の回転時の遠心力によって水道水が外槽９の内周面９ｓに飛散する。外槽９の内周面９ｓに降りかかった水道水は、重力の作用によって鉛直方向下方に向けて流れ落ちる。これにより、外槽９の内周面９ｓに付着した汚れやゴミが取り除かれ、また内周面９ｓに汚れやゴミが付着するのを抑制することができる。
【００９３】
また、図１５に示すように、水路部材５０の外側面５０ｃに複数の側面側散水口５０ｃ１が周方向に沿って間隔を置いて形成されていてもよい。これにより、側面側散水口５０ｃ１から散水された水道水は、実線矢印で示すように、外槽９の内周面９ｓに直接に散水される。内周面９ｓに散水された水道水は、重力の作用によって内周面９ｓを鉛直方向下方に流れ落ち、内周面９ｓに付着した汚れやゴミが取り除かれ、または内周面９ｓに汚れやゴミが付着するのを抑制することができる。
【００９４】
また、内周面９ｓに散水された水道水は、洗濯兼脱水槽８（バランスリング８ｃ）側に向けて飛び散って、洗濯兼脱水槽８の外周面８ｓに付着する。外周面８ｓに付着した水道水は、洗濯兼脱水槽８の回転時の遠心力と重力の作用によって外周面８ｓを鉛直方向に傾斜しながら下方に向けて流れ落ちる。これにより、洗濯兼脱水槽８の外周面８ｓに付着した汚れやゴミが取り除かれ、また外周面８ｓに汚れやゴミが付着するのを抑制することができる。
【００９５】
≪第３実施形態≫
次に、第３実施形態に係る洗濯乾燥機１Ｃについて図１６ないし図２４を参照して説明する。図１６は第３実施形態に係る洗濯機（洗濯乾燥機）の外観斜視図、図１７は第３実施形態に係る洗濯機（洗濯乾燥機）の内部構成を示す概略図、図１８は第３実施形態に係る洗濯機（洗濯乾燥機）の手前側に設けられる水路部材の配置を示す平面図、図１９は外槽カバーに設けられる水路部材を示し、（ａ）は正面図、（ｂ）は側面図、（ｃ）は上面図、（ｄ）は下面図、図２０は第３実施形態に係る洗濯機（洗濯乾燥機）の前側に設けられる水路部材の配置を示す平面図、図２１は第３実施形態に係る洗濯機（洗濯乾燥機）の後側の水路部材を示し、（ａ）は正面図、（ｂ）は背面図、図２２は第３実施形態に係る洗濯機（洗濯乾燥機）の前側の水路部材による水の流れを示す拡大断面図、図２３は第３実施形態に係る洗濯機（洗濯乾燥機）の後側の水路部材による水の流れを示す拡大断面図、図２４は第３実施形態に係る洗濯機（洗濯乾燥機）の槽洗浄時の全体の水の流れを示す模式図である。
【００９６】
図１６に示すように、第３実施形態の洗濯乾燥機１Ｃは、ドラム式の洗濯乾燥機であり、筐体２Ａ、破線で示す回転ドラム（内槽）８Ａ（図１７参照）、外槽９Ａ（図１７参照）、水路部材５０Ａ，５０Ｂ（給水経路）、駆動装置１０Ａ（駆動装置、図１７参照）などを備え、筐体２Ａに操作パネル７Ａが設けられて構成されている。なお、水路部材５０Ａ，５０Ｂには、給水ユニット１２Ｃから分岐ホース１１ｃ１、１１ｃ２を介してそれぞれに給水されるようになっている（図２４参照）。
【００９７】
筐体２Ａは、外郭が鋼板と樹脂成型品とを組み合わされるとともにベースＢｓの上に取り付けられて構成されている。筐体２Ａの前面の略中央には、衣類など（洗濯物、乾燥対象物）を出し入れするための投入口を塞ぐドア３Ａが、開閉可能に支持されて構成されている。ドア３Ａの近傍には、ドア３Ａのロック機構（図示せず）を解除するドア開放ボタン３ａが設けられている。
【００９８】
操作パネル７Ａの右側には、電源をＯＮ／ＯＦＦする電源スイッチ６Ａが設けられている。操作パネル７Ａの左側には、洗剤や柔軟剤などを投入する引き出し式のトレイＦ１が設けられ、操作パネル７Ａの右側には、引き出し式の乾燥フィルタＦ２が設けられている。乾燥フィルタＦ２は、メッシュ式のフィルタを備えており、乾燥運転時に糸くずや埃などが除去されるようになっている。また、筐体２Ａの上面には、水道栓と接続される給水ホース接続口４Ａ、風呂の残り湯を汲み上げるホースが接続される吸水ホース接続口５Ａが設けられている。
【００９９】
図１７に示すように、破線で示す回転ドラム８Ａ（内槽）は、筐体２Ａ内に設けられ、回転可能に支持された円筒状の洗濯兼脱水槽として機能するようになっている。この回転ドラム８Ａは、前側（手前側）端面に衣類を出し入れするための開口部８ｄを有するとともに、その周壁および底壁（奥側）に通水および通風のための多数の貫通孔８ａ１（図２２および図２３参照）を有している。開口部８ｄの縁部には、回転ドラム８Ａと一体のバランスリング８ｅが設けられている。また、回転ドラム８Ａの内周壁には、奥行き方向（軸方向）に延びるリフタ８ｆが複数個設けられており、洗濯、乾燥時に回転ドラム８Ａが回転すると、衣類などがリフタ８ｆと遠心力で周壁に沿って持ち上がり、重力で落下する動きを繰り返すようになっている。なお、回転ドラム８Ａの回転中心は、開口部８ｄ側が高くなるように傾斜している。
【０１００】
外槽９Ａは、回転ドラム８Ａを同軸上に内包するとともに前面が開口した円筒状に形成され、内部が洗濯室および乾燥室として機能するようになっている。外槽９Ａの前面の開口には、合成樹脂製の外槽カバー９ｈが設けられ、外槽９Ａ内への貯水を可能としている。外槽カバー９ｈの前側（手前側）中央には、衣類などを出し入れするための開口部９ｈ１が形成されている。この開口部９ｈ１と図示しない補強部材に設けた開口部は、ゴム製のパッキンで接続されている。このパッキンは、外槽９Ａとドア３Ａとの水密性を維持する役割を果たしている。これにより、洗い、すすぎおよび脱水時の水漏れの防止が図られている。外槽９Ａの底面には、排水口９ｉが設けられ、排水ホースＨが接続されている。
【０１０１】
また、外槽９Ａの下部は、下側をベースＢｓに固定された複数の防振手段Ｆ３（コイルばねとダンパで構成）で防振支持されている。また、外槽９Ａの上部は、上部補強部材に取り付けた補助ばね（図示せず）で支持されており、外槽９Ａの前後方向への倒れを防ぐように構成されている。
【０１０２】
排水ホースＨの途中には、排水弁１４Ａが設けられ、この排水弁１４Ａを閉じて給水することで外槽９Ａ内に水が溜められ、排水弁１４Ａを開くことで外槽９Ａ内の水が機外へ排出される。
【０１０３】
駆動装置１０Ａは、回転ドラム８Ａを回転駆動するものであり、外槽９Ａの背面中央に設けられている。なお、駆動装置１０Ａの回転軸１０ｇは、外槽９Ａを貫通し、回転ドラム８Ａの背面に設けられた金属製フランジ１０ｈと結合している。
【０１０４】
また、洗濯乾燥機１Ｃは、筐体２Ａの内部に送風ダクト（送風路）２０Ａを備えている。送風ダクト２０Ａは、外槽９Ａの背面側を上下方向（鉛直方向）に延びる後ダクト２０ｂと、外槽９Ａの上面側を後方から前方に延びる上ダクト２０ｃとを有している。後ダクト２０ｂの下部は、外槽９Ａの背面下部に設けられた出口９ｊが柔軟構造のベローズ２０ｄを介して略水平に接続されている。なお、後ダクト２０ｂ内には、水冷除湿機構（図示せず）が設けられている。
【０１０５】
上ダクト２０ｃの下流側には、送風手段としてのファン２１Ａと加熱手段としてのヒータ２２Ａとを備えた送風ファンユニットが設けられている。送風ファンユニットが作動すると、ファン２１Ａの吸引力によって上ダクト２０ｃから送風ファンユニット内に空気が取り込まれ、ヒータ２２Ａを通過することにより、取り込まれた空気が加熱されて、送風ファンユニットの吐出口（図示せず）から排出される。また、空気が後ダクト２０ｂを通過する際、図示しない水冷除湿機構によって冷却されて除湿が行われる。送風ファンユニットから排出された加熱空気は、温風ダクト２０ｋ、ベローズ２０ｌ、吹き出しノズル２０ｍを介して回転ドラム８Ａ内に供給されるようになっている。
【０１０６】
図１８は、外槽カバー９ｈを内側から見た状態である。
図１８に示すように、外槽カバー９ｈ（外槽９Ａの手前側）には、槽洗浄用として水道水を散水する水路部材５０Ａが取り付けられる。この水路部材５０Ａは、略弓形形状（円弧形状）を呈し、外槽カバー９ｈの内面９ｋの上部に周方向に沿って、換言すると回転ドラム８Ａ（図１７参照）の周方向に沿って配置されている。また、水路部材５０Ａは、円周の四分の１程度の長さで形成され、中央から左右に同様の長さで延びるように配設されている。
【０１０７】
図１９（ａ）に示すように、水路部材５０Ａの前面（側面）５０ｄには、周方向に間隔を置いて複数の散水口５０ｂ２が形成されている。本実施形態では、９個の散水口５０ｂ２が形成されているが、９個未満であっても、１０個以上であってもよい。また、水路部材５０Ａの上面５０ｅには、長さ方向の中央部に給水口５０ｆ１が形成されている。
【０１０８】
図１９（ｂ）に示すように、水路部材５０Ａの左右両端には、散水口５０ｃ２が形成されている。この散水口５０ｃ２は、左右側方に散水されるように構成されている。
【０１０９】
図１９（ｃ）に示すように、水路部材５０Ａの上面５０ｅには、複数の取付部５１Ａが周方向に間隔を置いて後方に突出するように形成されている。取付部５１Ａは、矩形状の片部５１ａを有し、この片部５１ａにねじ挿通孔５１ｂが形成されて構成されている。また、各取付部５１は、上面５０ｅと面一になるように形成されている。
【０１１０】
図１９（ｄ）に示すように、水路部材５０Ａの底面５０ｆには、給水口５０ｆ１と対向する位置に散水口５０ａ２が形成されている。なお、本実施形態では、散水口５０ａ２は１個のみ設けられているが、複数個所に設けられていてもよい。
【０１１１】
図２０は、外槽カバー９ｈを取り外した外槽９Ａ内を前側（手前側）から見た状態である。
図２０に示すように、外槽９Ａの底面（奥側の面）９ｔには、槽洗浄用として水道水を散水する水路部材５０Ｂが取り付けられる。この水路部材５０Ｂは、略弓形状（円弧形状）を呈し、外槽９Ａの底面９ｔ（奥側の面）の上部に周方向に沿って、換言すると回転ドラム８Ａ（図１７参照）の周方向に沿って配置されている。また、水路部材５０Ｂは、円周の四分の１程度の長さで形成され、中央から左右に同様の長さで延びるように配設されている。
【０１１２】
図２１（ａ）に示すように、水路部材５０Ｂの前面（側面）５０ｇには、散水口５０ｂ３，５０ｂ３が形成されている。また、水路部材５０Ｂは、その上面と下面に交互に周方向に間隔を置いて取付部５１Ｂが形成されている。この取付部５１Ｂは、矩形状の片部５１ａを有し、この片部５１ａにねじ挿通孔５１ｂが形成されて構成されている。
【０１１３】
図２１（ｂ）に示すように、水路部材５０Ｂの背面（側面）５０ｈには、複数の散水口５０ｂ４が周方向に間隔を置いて形成されている。散水口５０ｂ４は、水路部材５０Ｂの周方向に間隔を置いて形成されている。また、水路部材５０Ｂの前記取付部５１Ｂは、背面５０ｈと面一に形成されている。
【０１１４】
なお、第３実施形態に係る洗濯乾燥機１Ｃでは、第１実施形態と同様にして各工程が実行される。すなわち、外槽９Ａに水道水を溜めた状態で、回転ドラム８Ａを洗い時の回転速度よりも高く、脱水時の回転速度よりも低い回転速度（８０〜１３０ｒｐｍ）で回転させる。
【０１１５】
図２２に示すように、水路部材５０Ａは、外槽カバー９ｈ内に回転ドラム８Ａの周方向（図示奥側と手前側）に延びて配設される。なお、本実施形態における外槽カバー９ｈは、回転ドラム８Ａの前端部のバランスリング８ｅの周面を覆うように配置され、前側に向かうにつれて縮径する傾斜面９ｈ２を有している。また、回転ドラム８Ａの胴板８ｆは、水路部材５０Ａの位置において縮径する絞り部８ｖを有しており、この絞り部８ｖにバランスリング８ｅが取り付けられている。また、水路部材５０Ａの給水口５０ｆ１は、外槽カバー９ｈを貫通して、外槽カバー９ｈから上方に突出している。この給水口５０ｆ１には、図示しない給水ユニットから水道水がホースを介して供給される。
【０１１６】
このようにして構成された洗濯乾燥機１Ｃでは、水路部材５０Ａの前面５０ｄに形成された散水口５０ｂ２から、外槽カバー９ｈ（外槽９Ａ）の内周面９ｓに向けて散水される。内周面９ｓに散水された水道水は、実線矢印で示すように、外槽カバー９ｈの内周面９ｓの表面を重力の作用によって流れ落ちる。また、水路部材５０Ａの底面５０ｆに形成された散水口５０ａ２からは、実線矢印で示すように、回転ドラム８Ａの上部（絞り部８ｖ）に散水される。絞り部８ｖに散水された水道水は、回転ドラム８Ａの遠心力によって外槽カバー９ｈ（外槽９Ａ）の内周面９ｓに飛び散り、また絞り部８ｖよりも後方の外槽９Ａや回転ドラム８Ａの外周面８ｓに飛び散って後方へ流れる。
【０１１７】
また、図２３に示すように、水路部材５０Ｂは、外槽９Ａの底面９ｔに回転ドラム８Ａの周方向（図示奥側と手前側）に延びて配設される。また、水路部材５０Ｂは、その背面５０ｈと底面９ｔとの間に散水口５０ｂ４から底面９ｔに散水可能となる隙間が形成されるように配設されている。本実施形態における回転ドラム８Ａは、底面８ｔの外周縁部に環状のフランジ部８ｔ１が後方に向けて突出して形成され、このフランジ部８ｔ１内に合成樹脂製の底板８ｕが固定されている。
【０１１８】
このようにして構成された洗濯乾燥機１Ｃでは、水路部材５０Ｂの背面５０ｈに形成された散水口５０ｂ４から、実線矢印で示すように外槽９Ａの底面９ｔに向けて水道水が散水される。底面９ｔに散水された水道水は、重力の作用によって下方に向けて流れ落ちる。また、水路部材５０Ｂの前面５０ｇに形成された散水口５０ｂ３，５０ｂ３（図２０、図２１参照）からは、破線矢印で示すように回転ドラム８Ａの底板８ｕに向けて散水される。底板８ｕに散水された水道水は、回転ドラム８Ａが回転することによって底板８ｕの外周面全体に散水される。
【０１１９】
図２４に示すように、水路部材５０Ａには、外槽カバー９ｈの内周面９ｓに向けて散水される散水口５０ｂ２が周方向に沿って複数形成されているので、各散水口５０ｂ２から散水された水道水は、重力の作用によって外槽カバー９ｈの内周面９ｓを鉛直方向の下方へと流れ落ちる。また、水路部材５０Ａの両端部に形成された散水口５０ｃ２からは、外槽カバー９ｈの内周面９ｓに向けて散水されるので、外槽カバー９ｈの左右両端部の内周面９ｓに対しても散水できる。したがって、外槽カバー９ｈの内周面全体に水道水を流すことが可能になる。
【０１２０】
また、水路部材５０Ａには、回転ドラム８Ａの前端上部に向けて散水される散水口５０ａ２が形成されているので、散水口５０ａ２から散水された水道水は、回転ドラム８Ａの遠心力によって、絞り部８ｖと対向する外槽９Ａの内周面９ｓに向けて飛び散らせることができる。
【０１２１】
一方、水路部材５０Ｂには、回転ドラム８Ａの底面８ｔ側（底板８ｕ、図２２参照）に向けて散水する散水口５０ｂ３，５０ｂ３が形成されているので、この散水口５０ｂ３から散水された水道水は、回転ドラム８Ａが回転することにより、底板８ｕの外周全体に散水されることになる。
【０１２２】
また、水路部材５０Ｂには、外槽９Ａの底面９ｔ（図２３参照）に向けて散水する複数の散水口５０ｂ４が形成されているので、散水口５０ｂ４から底面９ｔに散水された水道水は、重力の作用によって、外槽９Ａの底面９ｔを上部から下部へ向けて流れ落ちる。したがって、外槽９Ａの底面９ｔの全体に水道水を流すことが可能になる。
【０１２３】
また、第３実施形態に係る洗濯乾燥機１Ｃでは、例えば、第１実施形態と同様にして、図１１に示す工程が実行される。槽洗浄シャワー工程を実行する際には、すすぎ２の給水工程Ｓ１６（図１１参照）で外槽９Ａにすすぎ水（きれいない水）を溜めておき、回転ドラム８Ａを回転させることで、溜まった水が上方にかき上げられ、回転ドラム８Ａの周囲の外槽９Ａの内周面が洗浄される。
【０１２４】
以上説明したように、第３実施形態に係る洗濯乾燥機１Ｃでは、外槽カバー９ｈ（外槽９Ａ）に、回転ドラム８Ａの周方向に延びる水路部材５０Ａ（給水経路）が設けられ、この水路部材５０Ａには、給水ユニット（不図示）から供給された水道水を外槽カバー９ｈの内周面９ｓに散水する散水口５０ｂ２が設けられている（図２２参照）。これによれば、外槽カバー９ｈ（外槽９Ａ）の内周面９ｓに付着した汚れやゴミを取り除くことができ、また汚れやゴミの付着を抑制することができる。このようにして汚れやゴミの付着を抑制できることで、カビの繁殖や異臭の発生を抑制することが可能になる。さらに、洗濯中の洗濯物へのゴミの付着も防止または抑制することができる。
【０１２５】
また、第３実施形態によれば、絞り部８ｖ（回転ドラム８Ａ）に散水する散水口５０ａ２が形成された水路部材５０Ａを備えているので（図２２参照）、絞り部８ｖ（回転ドラム８Ａ）の外周面に付着した汚れやゴミを取り除くことができ、また汚れやゴミの付着を抑制することができる。このようにして汚れやゴミの付着を抑制できることで、カビの繁殖、異臭発生を抑制でき、また洗濯中の洗濯物へのゴミの付着を防止、抑制できる。
【０１２６】
また、第３実施形態によれば、底板８ｕ（回転ドラム８Ａ）に散水する散水口５０ｂ３が形成された水路部材５０Ｂを備えているので（図２３参照）、底板８ｕ（回転ドラム８Ａ）に付着した汚れやゴミを取り除くことができ、また汚れやゴミの付着を抑制することができる。
【０１２７】
また、第３実施形態によれば、外槽９Ａの底面９ｔに散水する散水口５０ｂ４が形成された水路部材５０Ｂを備えているので（図２３参照）、底面９ｔ（外槽９Ａ）に付着した汚れやゴミを取り除くことができ、また汚れやゴミの付着を抑制することができる。
【０１２８】
本発明は、前記した各実施形態に限定されるものではなく、例えば、図２５に示すように、洗濯乾燥機１Ａ，１Ｂの洗濯兼脱水槽８の胴板８ａに形成される貫通孔８ａ１（脱水孔）において、上段に位置する貫通孔８ａ１の群とその下段に位置する貫通孔８ａ１の群とが鉛直方向において重なるように配置してもよい。これによれば、脱水時に上段に位置する貫通孔８ａ１から吐出された水と、その下段に位置する貫通孔８ａ１から吐出された水とが一部において重なり合って外槽９に排出される。よって、外槽９の内周面（胴板８ａの上下方向の中央部分）には、脱水時に吐出される水が当たらない領域（すじ状の領域）が発生するのを防止できる。なお、ここでは、縦型式洗濯乾燥機１Ａ，１Ｂについて説明したが、ドラム式洗濯乾燥機１Ｃに適用してもよい。
【０１２９】
以上、第１実施形態および第２実施形態に係る洗濯機として、洗濯兼脱水槽８の回転軸が略鉛直方向の縦型式洗濯乾燥機を用いて説明し、第３実施形態に係る洗濯機として、回転ドラム（洗濯兼脱水槽）の回転軸が略水平方向のドラム式洗濯乾燥機１Ｃを用いて説明したが、これらに限定されるものではなく、乾燥機能を有しない縦型式洗濯機、ドラム式洗濯機であってもよい。
【符号の説明】
【０１３０】
１Ａ，１Ｂ，１Ｃ  洗濯乾燥機（洗濯機）
２，２Ａ  筐体
８        洗濯兼脱水槽（内槽）
８Ａ      回転ドラム（内槽）
８ａ      胴板
８ｃ，８ｄ  バランスリング
８ｃ１    外周縁部上面
８ｓ      外周面
８ｔ      底面
８ｕ      底板
８ｖ      絞り部
９，９Ａ  外槽
９ａ，９ｈ  外槽カバー
９ａ１    凹部
９ａ２    底面
９ｓ      内周面
９ｔ      底面
１０      駆動装置
１１ｃ    洗浄ホース
１２      給水ユニット（給水手段）
１２ａ    洗剤給水電磁弁
１２ｂ    仕上剤／槽洗浄給水電磁弁
１２ｃ    冷却水給水電磁弁
１２ｄ    外槽給水電磁弁
１２ｅ    切替電磁弁
５０，５０Ａ，５０Ｂ  水路部材（給水経路）
５０ａ    底面
５０ａ１  側面側散水口
５０ａ２  散水口
５０ｂ    内側面
５０ｂ１  底面側散水口
５０ｂ２，５０ｂ３，５０ｂ４  散水口
５０ｃ    外側面
５１，５１Ａ，５１Ｂ，５２，５２Ａ，５２Ｂ  取付部
６０      ねじ
１００    制御装置
１１２    工程制御部（運転制御手段）
【図１】
0005398932.tif 000002
【図２】
0005398932.tif 000003
【図３】
0005398932.tif 000004
【図４】
0005398932.tif 000005
【図５】
0005398932.tif 000006
【図６】
0005398932.tif 000007
【図７】
0005398932.tif 000008
【図８】
0005398932.tif 000009
【図９】
0005398932.tif 000010
【図１０】
0005398932.tif 000011
【図１１】
0005398932.tif 000012
【図１２】
0005398932.tif 000013
【図１３】
0005398932.tif 000014
【図１４】
0005398932.tif 000015
【図１５】
0005398932.tif 000016
【図１６】
0005398932.tif 000017
【図１７】
0005398932.tif 000018
【図１８】
0005398932.tif 000019
【図１９】
0005398932.tif 000020
【図２０】
0005398932.tif 000021
【図２１】
0005398932.tif 000022
【図２２】
0005398932.tif 000023
【図２３】
0005398932.tif 000024
【図２４】
0005398932.tif 000025
【図２５】
0005398932.tif 000026